(57)【要約】【課題】待機モード時に操作パネルに表示される情報を、効果的に表示することができる画像形成装置を提供する。【解決手段】画像形成装置１５０は、上面に表示パネル１７２が設けられる操作パネル１６６と、画像形成装置１５０を水平に設置したときに、操作パネル１６６を水平面に対して所定の傾斜角度をとるように下方向に回動させるための軸１７４と、操作パネル１６６の上面と水平面とがなす所定の傾斜角度を検出するための角度センサと、当該装置１５０に対する動作がない状態で予め定められる所定時間が経過した場合に、当該装置の動作モードを、通常モードから待機モードへと移行させる省エネ制御部と、当該装置の動作モードが待機モードに移行された場合に、角度センサの検出結果に応じて、表示パネル１７２に対し、表示パネル１７２の閲覧性の違いに対応して所定の情報をスクリーンセーバとして表示させる表示制御部と、を含む。【選択図】図１
2011180517.tif 000002
【特許請求の範囲】
【請求項１】
上面に表示部が設けられる操作パネルと、
前記操作パネルを、所定面に対して所定の傾斜角度をとるように下方向に回動させるための回動手段と、
前記操作パネルの上面と所定面とがなす前記所定の傾斜角度を検出するための傾斜角度検出手段と、
当該装置に対する動作がない状態で予め定められる所定時間が経過した場合に、当該装置の動作モードを、通常モードから待機モードへと移行させるモード移行手段と、
前記モード移行手段によって、当該装置の動作モードが待機モードに移行された場合に、前記傾斜角度検出手段の検出結果に応じて、前記表示部に対し、前記表示部の閲覧性の違いに対応して予め定められる所定の情報をスクリーンセーバとして表示させる表示制御手段と、を含む、画像形成装置。
【請求項２】
前記表示制御手段は、前記傾斜角度検出手段によって、前記所定の傾斜角度として、予め定める第１の傾斜角度が検出された場合には、前記表示部の表示をオフにする、請求項１に記載の画像形成装置。
【請求項３】
前記予め定める第１の傾斜角度は、０°である、請求項２に記載の画像形成装置。
【請求項４】
前記予め定める第１の傾斜角度は、０°以上４５°以下の範囲内の所定の値をとる、請求項２に記載の画像形成装置。
【請求項５】
前記表示制御手段は、前記傾斜角度検出手段によって、前記所定の傾斜角度として、前記第１の角度よりも大きい第２の傾斜角度が検出された場合には、前記表示部に対し、一般の人を対象とする一般向けコンテンツをスクリーンセーバとして表示させる、請求項２〜請求項４のいずれか１つに記載の画像形成装置。
【請求項６】
前記第２の傾斜角度は、４６°以上６０°以下の範囲内の所定の値をとる、請求項５に記載の画像形成装置。
【請求項７】
前記一般向けコンテンツは、少なくとも、当該画像形成装置の設置店舗に関する広告情報、前記設置店舗にて使用可能なクーポンに関する情報、周辺の店舗に関する広告情報、及び、前記周辺の店舗にて使用可能なクーポンに関する情報、のうちのいずれか１つを含む、請求項５又は請求項６に記載の画像形成装置。
【請求項８】
前記表示制御手段は、前記傾斜角度検出手段によって、前記所定の傾斜角度として、前記第２の角度よりも大きい第３の傾斜角度が検出された場合には、前記表示部に対し、子供を対象とする子供向けコンテンツをスクリーンセーバとして表示させる、請求項５〜請求項７のいずれか１つに記載の画像形成装置。
【請求項９】
現在の時刻が、前記子供向けのコンテンツを表示するのに適した時刻の範囲として予め定められる所定範囲内の時刻であるか否かを判断する時刻判断手段をさらに含み、
前記表示制御手段は、前記時刻判断手段によって、現在の時刻が前記所定範囲内の時刻であると判断された場合に、前記表示部に対し、前記子供向けコンテンツをスクリーンセーバとして表示させる、請求項８に記載の画像形成装置。
【請求項１０】
前記第３の傾斜角度は、６１°以上９０°以下の範囲内の所定の値をとる、請求項８又は請求項９に記載の画像形成装置。
【請求項１１】
前記子供向けコンテンツは、子供向け製品の広告情報を含む、請求項８〜請求項１０のいずれか１つに記載の画像形成装置。
【請求項１２】
当該装置がトラブル状態であるか否かを判断する状態判断手段をさらに含み、
前記表示制御手段は、前記傾斜角度検出手段によって、前記所定の傾斜角度として、前記第２の角度又は第３の傾斜角度が検出された場合であって、前記状態判断手段によって、当該装置がトラブル状態であると判断された場合に、前記表示部に対し、トラブルの内容を示すトラブル情報をスクリーンセーバとして表示させる、請求項８〜請求項１１のいずれか１つに記載の画像形成装置。
【請求項１３】
前記表示制御手段は、前記傾斜角度検出手段によって、前記所定の傾斜角度として、前記第２の角度が検出された場合には、前記表示部に対し、前記一般向けコンテンツを前記トラブル情報とともに表示させ、前記第３の角度が検出された場合には、前記表示部に対し、前記子供向けコンテンツを前記トラブル情報とともに表示させる、請求項１２に記載の画像形成装置。
【請求項１４】
前記傾斜角度検出手段の検出結果に基づいて、前記表示部に表示される画像のコントラストの調整を行なう調整手段をさらに含む、請求項１〜請求項１３のいずれか１つに記載の画像形成装置。
【発明の詳細な説明】
【技術分野】
【０００１】
本発明は、画像形成装置に関し、特には、待機モード時における操作パネルの表示に関する技術に関する。
【背景技術】
【０００２】
近年、複合機等の画像形成装置において、車椅子を利用するユーザ等に対する操作パネルの視認性及び操作性をより向上させるための技術が知られている。
【０００３】
例えば、後掲の特許文献１には、所定の画面が表示される液晶表示部を有する操作パネルが設けられた画像形成装置であって、操作パネルを、倒伏した状態となる第１の位置と、所定角度で起き上がった状態となる第２の位置とに選択的に変更可能にする操作パネル支持部と、操作パネルが第２の位置にあることを検出する角度センサと、操作パネルが第２の位置にある場合に、液晶表示部に表示される画面を、第１の位置にある場合よりも拡大して表示する表示制御部と、を備える画像形成装置が開示されている。
【０００４】
後掲の特許文献２には、設定条件の入力と表示を行なうための液晶タッチパネル部を備える操作パネル部を有し、操作パネル部の傾斜角度の変更が可能な画像形成装置であって、操作パネル部の傾斜角度を検出する操作パネル角度検出部と、操作パネル部の傾斜角度が所定の角度以上である場合に、液晶タッチパネル部の表示内容を、設定入力画面から原稿載置方法表示画面又はボタン拡大画面に変更する制御部及び液晶表示制御部と、を有する画像形成装置が開示されている。
【０００５】
また、画像形成装置には、ユーザにより操作されずに予め定められる所定時間が経過したときに、待機モード（省エネモード、スリープモード等と呼ばれることがある。）に移行する機能を有するものがある。このような画像形成装置において、待機モード中に、広告及び宣伝を目的としたスクリーンセーバを表示パネルに表示する技術が考えられる。
【先行技術文献】
【特許文献】
【０００６】
【特許文献１】特開２００６−２０９０１１号公報
【特許文献２】特開２００３−３２３０８４号公報
【発明の概要】
【発明が解決しようとする課題】
【０００７】
特許文献１及び特許文献２に開示される技術は、画像形成装置を直接操作するユーザを対象とする技術であり、その中でも特に、車椅子を利用するユーザ等の特定のユーザに対する操作パネルの視認性及び操作性を向上させるものである。したがって、待機モード時等、画像形成装置を直接操作するユーザのいない場合における情報の表示については全く考慮されていない。
【０００８】
また、操作パネルは、通常、画像形成装置を直接操作するユーザの閲覧性を考慮した方向に画面を表示するので、画像形成装置を直接操作するユーザのいない待機モード中に広告及び宣伝を目的としたスクリーンセーバを表示したとしても、宣伝効果が低く、消費電力が無駄になってしまうおそれがある。
【０００９】
本発明の目的は、待機モード時に操作パネルに表示される情報を、効果的に表示することができる画像形成装置を提供することである。
【課題を解決するための手段】
【００１０】
本発明のある局面に係る画像形成装置は、上面に表示部が設けられる操作パネルと、操作パネルを、所定面に対して所定の傾斜角度をとるように下方向に回動させるための回動手段と、操作パネルの上面と所定面とがなす所定の傾斜角度を検出するための傾斜角度検出手段と、当該装置に対する動作がない状態で予め定められる所定時間が経過した場合に、当該装置の動作モードを、通常モードから待機モードへと移行させるモード移行手段と、モード移行手段によって、当該装置の動作モードが待機モードに移行された場合に、傾斜角度検出手段の検出結果に応じて、表示部に対し、表示部の閲覧性の違いに対応して予め定められる所定の情報をスクリーンセーバとして表示させる表示制御手段と、を含む。
【００１１】
画像形成装置の周囲に存在する不特定の人に対する表示部の閲覧性は、操作パネルの傾斜角度に応じて異なる。したがって、画像形成装置は、装置の動作モードが待機モードに移行された場合に、操作パネルの傾斜角度に応じて、表示部に対し、表示部の閲覧性の違いに対応して予め定められる所定の情報をスクリーンセーバとして表示させることで、画像形成装置を直接操作するユーザのいない待機モード時においても、装置の周囲に存在する不特定の人を対象とする情報を表示することができる。したがって、待機モード時に表示される情報を、効果的に表示することができる。
【００１２】
好ましくは、表示制御手段は、傾斜角度検出手段によって、所定の傾斜角度として、予め定める第１の傾斜角度が検出された場合には、表示部の表示をオフにする。このように、画像形成装置は、例えば、操作パネルが、画像形成装置の周囲に存在する不特定の人に対する表示部の閲覧性が悪い傾斜角度をとる場合等には、表示部の表示をオフにすることができるので、無駄に情報が表示されることを防ぐことができる。したがって、無駄な消費電力を低減することができる。
【００１３】
より好ましくは、予め定める第１の傾斜角度は、０°である。さらに好ましくは、予め定める第１の傾斜角度は、０°以上４５°以下の範囲内の所定の値をとる。これによって、無駄に情報が表示されることをより一層確実に防ぐことができ、無駄な消費電力をより一層確実に低減することができる。
【００１４】
さらに好ましくは、表示制御手段は、傾斜角度検出手段によって、所定の傾斜角度として、第１の傾斜角度よりも大きい第２の傾斜角度が検出された場合には、表示部に対し、一般の人を対象とする一般向けコンテンツをスクリーンセーバとして表示させる。このように、画像形成装置は、例えば、操作パネルが、画像形成装置の周囲に存在する不特定の人に対する表示部の閲覧性が良好な傾斜角度をとる場合等には、一般向けコンテンツを表示することができるので、待機モード時に表示される情報を、より一層効果的に表示することができる。
【００１５】
さらに好ましくは、第２の傾斜角度は、４６°以上６０°以下の範囲内の所定の値をとる。これによって、待機モード時において、より一層宣伝効果の高い状態で、一般向けコンテンツを表示することができる。
【００１６】
さらに好ましくは、一般向けコンテンツは、少なくとも、当該画像形成装置の設置店舗に関する広告情報、設置店舗にて使用可能なクーポンに関する情報、周辺の店舗に関する広告情報、及び、周辺の店舗にて使用可能なクーポンに関する情報、のうちのいずれか１つを含む。これによって、一般の人にとって関心が高い情報を、より一層宣伝効果の高い状態で表示することができる。
【００１７】
さらに好ましくは、表示制御手段は、傾斜角度検出手段によって、所定の傾斜角度として、第２の傾斜角度よりも大きい第３の傾斜角度が検出された場合には、表示部に対し、子供を対象とする子供向けコンテンツをスクリーンセーバとして表示させる。このように、画像形成装置は、例えば、操作パネルが、画像形成装置の周囲に存在する不特定の子供に対する表示部の閲覧性が良好な傾斜角度をとる場合等には、子供向けコンテンツを表示することができるので、待機モード時に表示される情報を、より一層効果的に表示することができる。
【００１８】
さらに好ましくは、画像形成装置は、現在の時刻が、子供向けのコンテンツを表示するのに適した時刻の範囲として予め定められる所定範囲内の時刻であるか否かを判断する時刻判断手段をさらに含み、表示制御手段は、時刻判断手段によって、現在の時刻が所定範囲内の時刻であると判断された場合に、表示部に対し、子供向けコンテンツをスクリーンセーバとして表示させる。これによって、待機モード時において、より一層宣伝効果の高い状態で、子供向けコンテンツを表示することができる。
【００１９】
さらに好ましくは、第３の傾斜角度は、６１°以上９０°以下の範囲内の所定の値をとる。これによって、待機モード時において、さらに宣伝効果の高い状態で、子供向けコンテンツを表示することができる。
【００２０】
さらに好ましくは、子供向けコンテンツは、子供向け製品の広告情報を含む。これによって、子供にとって関心が高い情報を、より一層宣伝効果の高い状態で表示することができる。
【００２１】
さらに好ましくは、画像形成装置は、当該装置がトラブル状態であるか否かを判断する状態判断手段をさらに含み、表示制御手段は、傾斜角度検出手段によって、所定の傾斜角度として、第２の傾斜角度又は第３の傾斜角度が検出された場合であって、状態判断手段によって、当該装置がトラブル状態であると判断された場合に、表示部に対し、トラブルの内容を示すトラブル情報をスクリーンセーバとして表示させる。このように、装置がトラブル状態であるときには、トラブル情報を優先して表示させるので、ユーザにとって重要な情報を、より一層効果的に表示することができる。
【００２２】
さらに好ましくは、表示制御手段は、傾斜角度検出手段によって、所定の傾斜角度として、第２の傾斜角度が検出された場合には、表示部に対し、一般向けコンテンツをトラブル情報とともに表示させ、第３の傾斜角度が検出された場合には、表示部に対し、子供向けコンテンツをトラブル情報とともに表示させる。このように、トラブル情報とともに、一般向けコンテンツ又は子供向けコンテンツを表示させるので、ユーザにとって重要な情報及び関心の高い情報を、より一層効果的に表示することができる。
【００２３】
さらに好ましくは、画像形成装置は、傾斜角度検出手段の検出結果に基づいて、表示部に表示される画像のコントラストの調整を行なう調整手段をさらに含む。これによって、操作パネルが回動された際に、外光によって表示部に表示される画像が見づらくなることを防ぐことができる。
【発明の効果】
【００２４】
本発明によれば、画像形成装置は、装置の動作モードが待機モードに移行された場合に、操作パネルの傾斜角度に応じて、表示部に対し、表示部の閲覧性の違いに対応して予め定められる所定の情報をスクリーンセーバとして表示させることで、画像形成装置を直接操作するユーザのいない待機モード時においても、装置の周囲に存在する不特定の人を対象とする情報を表示することができる。したがって、待機モード時に表示される情報を、効果的に表示することができる。
【図面の簡単な説明】
【００２５】
【図１】画像形成装置の外観構成を示す図である。
【図２】画像形成装置の内部構成を簡略化して示す図である。
【図３】画像形成装置の電気的構成を示すブロック図である。
【図４】操作パネルが回動された状態にあるときの画像形成装置の外観構成を示す図である。
【図５】操作パネルの構成を示す拡大図である。
【図６】制御部の機能ブロック図である。
【図７】スクリーンセーバ表示処理を実現するためのプログラム構造をフローチャート形式で示す図である。
【図８】表示パネルの表示状態の一例を示す図である。
【図９】表示パネルの表示状態の一例を示す図である。
【図１０】表示パネルの表示状態の一例を示す図である。
【図１１】表示パネルの表示状態の一例を示す図である。
【図１２】表示パネルの表示状態の一例を示す図である。
【図１３】表示パネルの表示状態の一例を示す図である。
【発明を実施するための形態】
【００２６】
以下の説明及び図面においては、同一の部品には同一の参照符号及び名称を付してある。それらの機能も同様である。したがって、それらについての詳細な説明は繰返さない。
【００２７】
［画像形成装置１５０］
〈ハードウェア構成〉  
図１及び図２を参照して、画像形成装置１５０は、原稿読取部１５２、画像形成部１５４、給紙部１５６、及び、排紙処理装置１５８を含む。画像形成装置１５０は、電子写真方式により記録用紙に画像を形成する。画像形成装置１５０は、ユーザによって、その動作モードがコピーモード、ファクシミリモード（以下「ＦＡＸモード」と記す場合がある。）、及びスキャナモードのいずれかに設定されることで、設定された動作モードに対応するジョブを実行する。また、画像形成装置１５０において、ユーザによる操作及びデータ受信等の、当該画像形成装置１５０に対する動作がない状態で予め定められる所定時間が経過した場合には、その動作モードが通常モードから待機モードへと移行する。ここで、待機モードとは、後述する表示パネル１７２の表示動作に関係しない各部に対する電力の供給をオフにする動作モードのことを言う。以下、待機モードを除く上記した各モードにおける動作を説明することによって、画像形成装置１５０のハードウェア構成の説明とする。
【００２８】
−コピーモード−  
以下、コピーモードにおける画像形成装置１５０の動作説明を行なう。コピーモードにおいては、主として、原稿読取部１５２及び画像形成部１５４が動作することによってコピー機能が実現される。
【００２９】
画像形成装置１５０においてコピーモードが設定されると、原稿載置台に載置された原稿が原稿読取部１５２によって画像データとして読取られる。読取られた画像データは、図３に示すマイクロコンピュータ等から構成されるＣＰＵ３０４に入力され、ここで各種の画像処理が施された後、画像形成部１５４に対して出力される。
【００３０】
画像形成部１５４は、画像データに基づいて原稿画像を記録媒体（多くの場合、記録用紙）に印刷するものである。画像形成部１５４は、感光体ドラム２２２、帯電装置２２４、レーザスキャンユニット（以下、「ＬＳＵ」と記す。）２２６、現像装置２２８、転写装置２３０、クリーニング装置２３２、定着装置２３４、及び図示しない除電装置等を含む。
【００３１】
画像形成部１５４には、主搬送路２３６及び反転搬送路２３８が設けられている。給紙部１５６は、用紙カセット２４０に収納された記録用紙、又は手差トレイ２４２に載置された記録用紙を１枚ずつ引出し、引出した記録用紙を画像形成部１５４の主搬送路２３６に向けて送り出す。給紙部１５６から給紙された記録用紙は、主搬送路２３６に沿って搬送される。
【００３２】
主搬送路２３６に沿って記録用紙が搬送される途中において、記録用紙は感光体ドラム２２２と転写装置２３０との間を通過し、さらに定着装置２３４を通過する。この過程において、記録用紙に対する原稿画像の印刷が行なわれる。
【００３３】
感光体ドラム２２２は、一方向に回転する。感光体ドラム２２２の表面は、クリーニング装置２３２と除電装置とによりクリーニングされた後、帯電装置２２４により均一に帯電される。
【００３４】
ＬＳＵ２２６は、印刷対象の画像データに基づいてレーザ光を変調し、このレーザ光によって感光体ドラム２２２の表面を主走査方向に繰返し走査することで、静電潜像を感光体ドラム２２２の表面に形成する。
【００３５】
現像装置２２８は、トナーを感光体ドラム２２２の表面に供給して静電潜像を現像し、これによって、トナー像を感光体ドラム２２２の表面に形成する。
【００３６】
転写装置２３０は、当該転写装置２３０と感光体ドラム２２２との間を通過する記録用紙に対し、感光体ドラム２２２の表面に形成されたトナー像を転写する。
【００３７】
定着装置２３４は、記録用紙を加熱するための加熱ローラ２４８と、記録用紙を加圧するための加圧ローラ２５０とを含む。記録用紙上に転写されたトナー像は、加熱ローラ２４８によって加熱され、かつ、加圧ローラ２５０によって加圧されることによって、記録用紙に定着される。加熱ローラ２４８の温度は、定着装置２３４へ供給される電力によってヒータを温めることで、定着に適した温度になるように制御されている。
【００３８】
主搬送路２３６と反転搬送路２３８との接続位置には、分岐爪２４４が配設されている。記録用紙の片面のみに原稿画像の印刷を行なう場合には、分岐爪２４４が位置決めされ、この分岐爪２４４により定着装置２３４からの記録用紙が排紙トレイ２４６又は排紙処理装置１５８の方へと導かれる。
【００３９】
記録用紙の両面に原稿画像の印刷を行なう場合には、分岐爪２４４が所定方向に回動され、この分岐爪２４４により記録用紙が反転搬送路２３８の方へと導かれる。記録用紙は、反転搬送路２３８を通過して、その表裏を反転された状態で主搬送路２３６へと再び搬送される。主搬送路２３６における再度の搬送途中において、記録用紙の裏面への印刷が行なわれ、印刷が行なわれた記録用紙は、排紙トレイ２４６又は排紙処理装置１５８の方へと導かれる。
【００４０】
上述のようにして原稿画像が印刷された記録用紙は、排紙トレイ２４６又は排紙処理装置１５８の方へと導かれて排紙トレイ２４６に排出されるか、又は、排紙処理装置１５８の各排紙トレイ１６８のいずれかに排出される。
【００４１】
排紙処理装置１５８では、複数の記録用紙を各排紙トレイ１６８に仕分けして排出する処理、記録用紙にパンチングする処理、及び、記録用紙にステープルする処理等を施す。例えば、複数部の印刷物を作成する場合は、各排紙トレイ１６８に印刷物の一部ずつが割り当てられるように、記録用紙を各排紙トレイ１６８に仕分けして排出し、排紙トレイ１６８毎に、排紙トレイ１６８上の記録用紙にパンチング処理又はステープル処理を施して印刷物を作成する。
【００４２】
−ファクシミリモード−  
以下、ファクシミリモードにおける画像形成装置１５０の動作説明を行なう。ファクシミリモードにおいては、主として、送信動作は原稿読取部１５２及び図３に示すＦＡＸ通信部１５５が動作することによって、通信動作はＦＡＸ通信部１５５が動作することによって、受信動作はＦＡＸ通信部１５５及び画像形成部１５４が動作することによって、ファクシミリ機能が実現される。
【００４３】
・送信動作  
画像形成装置１５０においてファクシミリモードが設定されると、原稿載置台に置かれた原稿は原稿読取部１５２によって画像データとして読取られる。読取られた画像データは、ＣＰＵ３０４に入力され、ここで各種の画像処理が施された後、ＦＡＸ通信部１５５に対して出力される。
【００４４】
送信側の画像形成装置１５０のＦＡＸ通信部１５５は、指定された送信側の回線を指定された送信先に接続し、画像データをファクシミリ通信規格に合致した通信データへ変換して、受信側のファクシミリ装置（例えばファクシミリ機能を備えた画像形成装置１５０）に対して送信する。
【００４５】
・通信動作
回線が接続されると、受信側の画像形成装置１５０のＦＡＸ通信部１５５は、送信側の画像形成装置１５０のＦＡＸ通信部１５５からの通信要求信号を検出して、応答信号を送信する。その後、例えば、ＦＡＸ通信部１５５は、送信側及び受信側で互いに実装されている能力情報の受渡しを行ない利用可能な最大能力での通信速度及び画像データの符号化／符号訂正方式などを決定してモデムの通信方式を設定する。この通信方式にあわせた画像信号形式を用いて、送信側の画像形成装置１５０のＦＡＸ通信部１５５から受信側の画像形成装置１５０のＦＡＸ通信部１５５へとデータが送信される。送信が終了すると回線が切断される。
【００４６】
・受信動作  
受信側の画像形成装置１５０のＦＡＸ通信部１５５は、受信したデータを画像データに変換して、画像形成部１５４へ送る。なお、受信したデータを画像データへ変換するのは画像形成部１５４であっても構わない。画像形成部１５４は、上述したコピーモードにおける動作と同様にして、受信したデータから変換された画像データに基づく画像を記録用紙に印刷する。
【００４７】
−スキャナモード−  
以下、スキャナモードにおける画像形成装置１５０の動作説明を行なう。スキャナモードにおいては、主として、原稿読取部１５２が動作することによってスキャナ機能が実現される。
【００４８】
画像形成装置１５０においてスキャナモードが設定されると、原稿載置台に置かれた原稿は原稿読取部１５２によって画像データとして読取られる。読取られた画像データは、ＣＰＵ３０４に入力され、ここで各種の画像処理が施された後、記憶装置（例えば、図３に示すＨＤＤ（Ｈａｒｄ  Ｄｉｓｋ  Ｄｒｉｖｅ）３０２）に記憶されたり、図３に示すネットワークインターフェイス（以下「ネットワークＩ／Ｆ」と記す。）３００を介して、ネットワーク回線に接続されるコンピュータ等に対して送信されたりする。
【００４９】
〈電気的構成〉  
図３を参照して、画像形成装置１５０はさらに、コピーモード、ＦＡＸモード、及び、スキャナモードに関する各種機能の設定が可能な操作パネル１６６と、プログラム等を記憶するためのＲＯＭ（Ｒｅａｄ  Ｏｎｌｙ  Ｍｅｍｏｒｙ）３０６と、通電が遮断された場合であってもプログラム及びデータ等を記憶可能な不揮発性記憶領域を提供するハードディスクを含むＨＤＤ３０２と、プログラムを実行する際の記憶領域を提供するＲＡＭ（Ｒａｎｄｏｍ  Ａｃｃｅｓｓ  Ｍｅｍｏｒｙ）３０８と、操作パネル１６６の表示パネル１７２に表示するための画像データを記憶するための表示メモリ３０９と、を含む。
【００５０】
画像形成装置１５０はさらに、原稿読取部１５２、画像形成部１５４、ＦＡＸ通信部１５５、操作パネル１６６、ＨＤＤ３０２、ＲＯＭ３０６、ＲＡＭ３０８、及び表示メモリ３０９に接続されるバス３１０と、バス３１０に接続され、上記した各部を制御して画像形成装置としての一般的機能を実現するためのＣＰＵ３０４と、を含む。
【００５１】
ＲＯＭ３０６には、画像形成装置１５０の動作を制御するのに必要なプログラム及びデータ等が記憶されている。ＲＡＭ３０８は、ＣＰＵ３０４による演算及び処理の結果を一時的に記憶するワーキングメモリとしての機能と、画像データを記憶するフレームメモリとしての機能とを提供する。ＣＰＵ３０４は、ＲＯＭ３０６に格納されているプログラム及びデータに従って画像形成装置１５０の各機能に関する制御を実行する。すなわち、原稿読取部１５２、画像形成部１５４、ＦＡＸ通信部１５５、操作パネル１６６の板状の操作部１７０及び表示パネル１７２、ＨＤＤ３０２、ＲＯＭ３０６、ＲＡＭ３０８、並びに表示メモリ３０９に対する制御は、ＣＰＵ３０４が所定のプログラムを実行することによって実現される。ＣＰＵ３０４、ＨＤＤ３０２、ＲＯＭ３０６、及び、ＲＡＭ３０８は、制御部４００を構成する。
【００５２】
図３に示すように、画像形成装置１５０のＦＡＸ通信部１５５には、画像データの送受信用に公衆回線が接続され、ネットワークＩ／Ｆ３００にはネットワーク回線が接続される。このネットワーク回線には、画像形成装置１５０をネットワーク対応のプリンタとして使用するコンピュータが接続されたり、インターネットを介して指定されたＵＲＬにより特定されるコンピュータが接続されたりする。このようにネットワーク回線を通じてインターネットに接続されている画像形成装置１５０は、インターネットを介して、外部装置から必要な情報を取得することができる。
【００５３】
［操作パネル１６６］  
図１を参照して、操作パネル１６６は、画像形成装置１５０の上部正面側に、軸１７４の回りに回動自在に取付けられている。操作パネル１６６は、操作パネル１６６の表面の右側の領域に配置される、テンキー及びその他の種々の操作ボタンであるハードウェアキーが備えられる板状の操作部１７０と、操作パネル１６６の中央部から左側領域に配置される、小型のタッチパネル一体型液晶表示装置から構成される表示パネル１７２と、を含む。操作部１７０と表示パネル１７２とは一つの筐体に保持され、操作パネル１６６は全体として一体となるように構成されている。
【００５４】
操作パネル１６６において、表示パネル１７２には、画像形成装置１５０における各種モードのメニュー、画像形成装置１５０の現在の状態、宛先指定状況、ジョブの処理状況、及び、スクリーンセーバ等が表示される。表示パネル１７２の液晶表示装置の表示領域上には選択ボタンが表示される。この選択ボタンの表示されている領域をユーザが指で押すと、タッチパネルがその押された位置を検出する。プログラム上で選択ボタンの表示位置とタッチパネルが押された位置とを照合することによって、画像形成装置１５０の機能設定及び動作指示等が行なわれる。
【００５５】
表示パネル１７２の近傍には、画像形成装置１５０がトラブル状態になった際にエラー表示を行なうためのエラー表示部１７３が設けられる。ここで、トラブル状態とは、例えば、トナー切れ状態、用紙切れ状態及び紙詰まり状態等の、画像形成装置１５０が、ジョブを正常に実行できない状態のことを示す。エラー表示部１７３はＬＥＤ（Ｌｉｇｈｔ  Ｅｍｉｔｔｉｎｇ  Ｄｉｏｄｅ）を備える。エラー表示部１７３は、通常時には消灯された状態であり、トラブル状態になった場合には赤色に点灯する。なお、エラー表示部１７３の構成は上記したものに限定されず、例えば、通常時には緑色に点灯した状態であり、トラブル状態になった場合には赤色に点灯する構成であってもよい。
【００５６】
操作パネル１６６の下面であって画像形成装置１５０の本体側には、操作パネル１６６の長手方向に伸びる軸１７４が回動可能に取付けられる。したがって、ユーザは、操作パネル１６６に対し、その回動方向に力を加えることによって、操作パネル１６６を、軸１７４回りに回動させることができる。本実施の形態において、操作パネル１６６は、操作パネル１６６の上面が水平面に対して平行に位置する状態（図１参照）を基準として下方向に回動可能であるものとする。
【００５７】
図４は、操作パネル１６６が回動された状態にあるときの画像形成装置１５０の外観構成を示す図である。本実施の形態において、操作パネル１６６は、上記回動によって、第１の傾斜角度θ１をとる第１の位置（図４参照）、第２の傾斜角度θ２をとる第２の位置、及び、第３の傾斜角度θ３をとる第３の位置によって示される３つの位置をとることができる。ここで、傾斜角度とは、操作パネル１６６の上面と水平面とがなす角度のことを示す。上記した第１の傾斜角度θ１は、０°以上４５°以下の範囲内の所定の値をとり、特には、０°であることが好ましい。第２の傾斜角度θ２は、４６°以上６０°以下の範囲内の所定の値をとる。第３の傾斜角度θ３は、６１°以上９０°以下の範囲内の所定の値をとる。
【００５８】
画像形成装置１５０の周囲に存在する不特定の人に対する表示パネル１７２の閲覧性は、操作パネル１６６の傾斜角度に応じて異なる。例えば、操作パネル１６６が第２の位置又は第３の位置をとるように回動されると、表示パネル１７２の表示は、画像形成装置１５０の周囲に存在する不特定の人にとって、より閲覧し易い状態となる。特に、操作パネル１６６が、より傾斜角度の大きい第３の位置をとるように回動されると、表示パネル１７２の表示は、画像形成装置１５０の周囲に存在する、目線の高さの低い子供にとってより閲覧し易い状態となる。また、画像形成装置１５０の周囲に存在する不特定の人に対する表示パネル１７２の閲覧性を特に必要としない場合、及び、表示パネル１７２の閲覧性を低下させる必要がある場合等には、表示パネル１７２の閲覧性の悪い第１の位置をとるように操作パネル１６６を回動させることによって、表示パネル１７２の表示をより閲覧しにくい状態にすることができる。
【００５９】
図５は、操作パネル１６６の構成を示す拡大図である。図５を参照して、軸１７４の一端部には、操作パネル１６６の傾斜角度を検出するための角度センサ１７５が取付けられている。角度センサ１７５としては、操作パネル１６６の傾斜角度を検出可能なものであれば特に限定されないが、例えば、可変抵抗器からなるセンサを使用できる。角度センサ１７５は、操作パネル１６６の傾斜角度の変化を抵抗値の変化として検出し、制御部４００に対して出力する。
【００６０】
［制御部４００］  
図６は、制御部４００の機能ブロック図である。図６を参照して、制御部４００は、待機判断部６０１と、省エネ制御部６０２と、位置判断部６０３と、状態判断部６０４と、時計回路６０５と、表示制御部６０６と、印刷制御部６０７と、を含む。上記した各部は、実際には、ＣＰＵ３０４によって実行されるコンピュータプログラムによって実現される。
【００６１】
待機判断部６０１は、ＦＡＸ通信部１５５若しくはネットワークＩ／Ｆ３００によるデータ受信、又は、操作パネル１６６からのユーザの入力操作によるジョブの実行指示がなされていない状態で予め定められる所定時間が経過した場合に、画像形成装置１５０の動作モードを通常モードから待機モードに移行させるための指示を省エネ制御部６０２に対して出す。上記した所定時間としては、特に限定されないが、例えば１分〜５分であり、ユーザによる操作パネル１６６からの入力操作によって、予め設定されるものとする。
【００６２】
省エネ制御部６０２は、待機判断部６０１の指示を受けて、画像形成装置１５０の動作モードを、通常モードから待機モードに移行させる。
【００６３】
位置判断部６０３は、操作パネル１６６の傾斜角度の変化を抵抗値の変化として出力する角度センサ１７５の検出結果に基づいて、操作パネル１６６が、第１の位置、第２の位置、及び、第３の位置のうちのいずれの位置をとるのかを判断する。
【００６４】
状態判断部６０４は、画像形成装置１５０がトラブル状態であるか否かを判断する。
【００６５】
時計回路６０５は、現在の時刻が、子供向けのコンテンツを表示するのに適した時刻の範囲として予め定められる所定範囲内の時刻であるか否かを判断する。上記した予め定められる所定範囲は、特に限定されないが、例えば、１４時から１５時の範囲が好ましく、ユーザによる操作パネル１６６からの入力操作によって、予め設定されるものとする。
【００６６】
表示制御部６０６は、表示パネル１７２の表示を制御する。例えば、表示制御部６０６は、画像形成装置１５０の動作モードが待機モードに移行された場合に、角度センサ１７５の検出結果に応じて、表示パネル１７２に対し、表示パネル１７２の閲覧性の違いに対応して予め定められる所定の情報をスクリーンセーバとして表示させる。本実施の形態において、この所定の情報は、予め表示メモリ３０９に記憶されているものとする。これらの情報は、例えば、ネットワークＩ／Ｆ３００を介して、ネットワーク回線に接続される外部コンピュータ及びサーバ等から表示メモリ３０９にダウンロードすることで入手することができる。テーブル１に、上記した所定の情報の一例を示す。
【００６７】
【表１】
2011180517.tif 000003
【００６８】
テーブル１を参照して、表示メモリ３０９には、上記した所定の情報として、操作パネル１６６の位置と、その他の要因と、対応する表示すべき情報とが、それぞれ関連付けて記憶されている。例えば、操作パネル１６６が第２の位置をとり、かつ、画像形成装置１５０がトラブル状態にある場合には、対応する情報は、トラブルの内容を示すトラブル情報である。操作パネル１６６が第２の位置をとり、かつ、画像形成装置１５０がトラブル状態でないその他の状態にある場合には、対応する情報は、一般の人を対象とする宣伝及び広告等の一般向けコンテンツである。上記した一般向けコンテンツとしては、例えば、画像形成装置１５０の設置店舗における新製品、売れ筋商品、及びセール品等の広告情報、画像形成装置１５０の設置店舗にて使用可能なクーポンに関する情報、周辺地域の店舗に関する広告情報、並びに、周辺地域の店舗にて使用可能なクーポンに関する情報等がある。
【００６９】
また、操作パネル１６６が第３の位置をとり、かつ、現在の時刻が予め定められる所定範囲内の時刻である場合には、対応する情報は、子供を対象とする子供向けコンテンツである。上記した子供向けコンテンツとしては、例えば、画像形成装置１５０の設置店舗における、玩具や菓子等の子供向け製品の広告情報等がある。操作パネル１６６が第３の位置をとり、現在の時刻が予め定められる所定範囲外の時刻であり、かつ、画像形成装置１５０がトラブル状態にある場合には、対応する情報は、トラブル情報である。操作パネル１６６が第３の位置をとり、現在の時刻が予め定められる所定範囲外の時刻であり、かつ、画像形成装置１５０がその他の状態にある場合には、対応する情報は、一般向けコンテンツである。
【００７０】
表示制御部６０６はさらに、角度センサ１７５の検知結果に基づいて、表示パネル１７２に表示される画像のコントラストの調整を行なう。
【００７１】
印刷制御部６０７は、操作パネル１６６からのユーザの入力操作による印刷ジョブの実行指示がなされた場合に、上記した画像形成装置１５０の各部を制御して、印刷ジョブを実行する。
【００７２】
〈ソフトウェア構成〉  
（スクリーンセーバ表示処理）  
図７は、スクリーンセーバ表示処理を実現するためのプログラム構造をフローチャート形式で示す図である。このスクリーンセーバ表示処理を実現するためのプログラムは、画像形成装置１５０の電源が投入されることによって起動され、電源が切られることによって終了する。
【００７３】
図７を参照して、このプログラムは、データ受信又はジョブの実行指示がなされたか否かを判定するステップ（以下、単に「Ｓ」と記す。）１０１と、Ｓ１０１にてデータ受信又はジョブの実行指示がなされたと判定された場合（ＹＥＳの場合）に実行され、データ受信又は指定されたジョブを実行するＳ１０２と、を含む。Ｓ１０２の処理後、制御はＳ１０１に戻る。
【００７４】
このプログラムはさらに、Ｓ１０１にてデータ受信又はジョブの実行指示がなされていないと判定された場合（ＮＯの場合）に実行され、データ受信又はジョブの実行指示がなされていない状態で予め定められる所定時間が経過したか否かを判定するＳ１０３を含む。Ｓ１０３にて所定時間が経過していないと判定された場合（ＮＯの場合）には、制御はＳ１０１に戻る。
【００７５】
このプログラムはさらに、Ｓ１０３にて所定時間が経過したと判定された場合（ＹＥＳの場合）に実行され、画像形成装置１５０の動作モードを通常モードから待機モードに移行させるＳ１０４と、操作パネル１６６が第１の位置をとるか否かを判定するＳ１０５と、Ｓ１０５にて第１の位置をとると判定された場合（ＹＥＳの場合）に実行され、表示パネル１７２の表示をオフにするＳ１０６と、を含む。Ｓ１０６の処理後、制御はＳ１０１に戻る。
【００７６】
このプログラムはさらに、Ｓ１０５にて第１の位置をとらないと判定された場合（ＮＯの場合）に実行され、操作パネル１６６が第２の位置をとるか否かを判定するＳ１０７と、Ｓ１０７にて第２の位置をとらないと判定された場合（ＮＯの場合）、すなわち、操作パネル１６６が第３の位置をとる場合に実行され、現在の時刻が予め定められる所定範囲内の時刻であるか否かを判定するＳ１０８と、Ｓ１０８にて所定範囲内の時刻であると判定された場合（ＹＥＳの場合）に実行され、表示パネル１７２に対し、子供向けコンテンツをスクリーンセーバとして表示させるＳ１０９と、を含む。Ｓ１０９の処理後、制御はＳ１０１に戻る。
【００７７】
このプログラムはさらに、Ｓ１０７にて第２の位置をとると判定された場合（ＹＥＳの場合）、又は、Ｓ１０８にて所定範囲内の時刻ではないと判定された場合（ＮＯの場合）に実行され、画像形成装置１５０がトラブル状態であるか否かを判定するＳ１１０と、Ｓ１１０にてトラブル状態であると判定された場合（ＹＥＳの場合）に実行され、表示パネル１７２に対し、トラブル情報をスクリーンセーバとして表示させるとともに、エラー表示部１７３を点灯させるＳ１１１と、を含む。Ｓ１１１の処理後、制御はＳ１０１に戻る。
【００７８】
このプログラムはさらに、Ｓ１１０にてトラブル状態ではないと判定された場合（ＮＯの場合）に実行され、表示パネル１７２に対し、一般向けコンテンツをスクリーンセーバとして表示させるＳ１１２を含む。Ｓ１１２の処理後、制御はＳ１０１に戻る。
【００７９】
［動作］  
図１〜図７を参照して、画像形成装置１５０は、以下のように動作する。以下の動作を除く、画像形成装置１５０の一般的な動作は、従来の画像形成装置の動作と同じである。以下の説明において、画像形成装置１５０の電源投入時には、表示パネル１７２には、各種ジョブの実行指示を行なうための設定画面（図示せず。）が表示され、エラー表示部１７３は消灯した状態であるものとする。なお、以下に示す図８〜図１１は、表示パネル１７２の表示状態の一例を示す図である。
【００８０】
−操作パネル１６６が第１の位置をとる場合−  
ユーザは、画像形成装置１５０の電源を投入する。このとき、ユーザは、画像形成装置１５０の周囲に存在する不特定の人に対する表示パネル１７２の閲覧性を低下させる必要があるものとする。したがって、ユーザは、操作パネル１６６が第１の位置（図４参照）をとるように、操作パネル１６６を回動させる。その後、データ受信又はジョブの実行指示等の、画像形成装置１５０に対する動作がない状態で予め定められる所定時間（例えば、５分）が経過したものとする。
【００８１】
制御部４００において、待機判断部６０１によって、データ受信又はジョブの実行指示がなされていないと判定されるととともに（Ｓ１０１にてＮＯ）、データ受信又はジョブの実行指示がなされていない状態で所定時間が経過したと判定されると（Ｓ１０３にてＹＥＳ）、省エネ制御部６０２は、画像形成装置１５０の動作モードを通常モードから待機モードに移行させる（Ｓ１０４）。
【００８２】
その後、位置判断部６０３によって、操作パネル１６６が第１の位置をとると判定されると（Ｓ１０５にてＹＥＳ）、表示制御部６０６は、表示パネル１７２の表示をオフにする（Ｓ１０６）。図８を参照して、待機モード時において操作パネル１６６が第１の位置をとるとき、表示パネル１７２の表示はオフにされ、エラー表示部１７３は消灯した状態である。
【００８３】
−操作パネル１６６が第２の位置をとる場合−  
ユーザは、画像形成装置１５０の電源を投入する。このとき、画像形成装置１５０の周囲には、一般の人が多く存在するものとする。したがって、ユーザは、一般の人に対する表示パネル１７２の閲覧性を良好にするために、操作パネル１６６が第２の位置をとるように、操作パネル１６６を回動させる。その後、データ受信又はジョブの実行指示等の、画像形成装置１５０に対する動作がない状態で所定時間（例えば、５分）が経過したものとする。
【００８４】
制御部４００において、待機判断部６０１によって、データ受信又はジョブの実行指示がなされていないと判定されるととともに（Ｓ１０１にてＮＯ）、データ受信又はジョブの実行指示がなされていない状態で所定時間が経過したと判定されると（Ｓ１０３にてＹＥＳ）、省エネ制御部６０２は、画像形成装置１５０の動作モードを通常モードから待機モードに移行させる（Ｓ１０４）。
【００８５】
その後、位置判断部６０３によって、操作パネル１６６が第１の位置をとらないと判定されるとともに（Ｓ１０５にてＮＯ）、第２の位置をとると判定されると（Ｓ１０７にてＹＥＳ）、状態判断部６０４は、画像形成装置１５０がトラブル状態であるか否かを判定する（Ｓ１１０）。状態判断部６０４によって、トラブル状態であると判定されると（Ｓ１１０にてＹＥＳ）、表示制御部６０６は、表示パネル１７２に対し、トラブル情報をスクリーンセーバとして表示させるとともに、エラー表示部１７３を点灯させる（Ｓ１１１）。図９を参照して、待機モードにおいて操作パネル１６６が第２の位置をとり、かつ、画像形成装置１５０がトラブル状態であるとき、表示パネル１７２にはトラブル情報が表示され、エラー表示部１７３は赤色に点灯した状態である。
【００８６】
状態判断部６０４によって、トラブル状態ではないと判定されると（Ｓ１１０にてＮＯ）、表示制御部６０６は、表示パネル１７２に対し、一般向けコンテンツをスクリーンセーバとして表示させる（Ｓ１１２）。図１０を参照して、待機モードにおいて操作パネル１６６が第２の位置をとり、かつ、画像形成装置１５０がトラブル状態ではないとき、表示パネル１７２には一般向けコンテンツが表示され、エラー表示部１７３は消灯した状態である。
【００８７】
−操作パネル１６６が第３の位置をとる場合−  
ユーザは、画像形成装置１５０の電源を投入する。このとき、画像形成装置１５０の周囲には、子供が多く存在するものとする。したがって、ユーザは、子供に対する表示パネル１７２の閲覧性を良好にするために、操作パネル１６６が第３の位置をとるように、操作パネル１６６を回動させる。その後、データ受信又はジョブの実行指示等の、画像形成装置１５０に対する動作がない状態で所定時間（例えば、５分）が経過したものとする。
【００８８】
制御部４００において、待機判断部６０１によって、データ受信又はジョブの実行指示がなされていないと判定されるととともに（Ｓ１０１にてＮＯ）、データ受信又はジョブの実行指示がなされていない状態で所定時間が経過したと判定されると（Ｓ１０３にてＹＥＳ）、省エネ制御部６０２は、画像形成装置１５０の動作モードを通常モードから待機モードに移行させる（Ｓ１０４）。
【００８９】
その後、位置判断部６０３によって、操作パネル１６６が第１の位置をとらないと判定されるとともに（Ｓ１０５にてＮＯ）、第２の位置をとらないと判定されると（Ｓ１０７にてＮＯ）、すなわち、操作パネル１６６が第３の位置をとると判定されると、時計回路６０５は、現在の時刻が所定範囲内の時刻であるか否かを判定する（Ｓ１０８）。
【００９０】
時計回路６０５によって、所定範囲内の時刻であると判定されると（Ｓ１０８にてＹＥＳ）、表示制御部６０６は、表示パネル１７２に対し、子供向けコンテンツをスクリーンセーバとして表示させる（Ｓ１０９）。図１１を参照して、待機モードにおいて操作パネル１６６が第３の位置をとり、かつ、現在の時刻が所定範囲内の時刻であるとき、表示パネル１７２には子供向けコンテンツが表示され、エラー表示部１７３は消灯した状態である。
【００９１】
時計回路６０５によって、所定範囲内の時刻ではないと判定されると（Ｓ１０８にてＮＯ）、状態判断部６０４は、画像形成装置１５０がトラブル状態であるか否かを判定する（Ｓ１１０）。状態判断部６０４によって、トラブル状態であると判定されると（Ｓ１１０にてＹＥＳ）、表示制御部６０６は、表示パネル１７２に対し、トラブル情報をスクリーンセーバとして表示させるとともに、エラー表示部１７３を点灯させる（Ｓ１１１）。図９を参照して、待機モードにおいて操作パネル１６６が第３の位置をとり、現在の時刻が所定範囲外の時刻であり、かつ、画像形成装置１５０がトラブル状態であるとき、表示パネル１７２にはトラブル情報が表示され、エラー表示部１７３は赤色に点灯した状態である。
【００９２】
時計回路６０５によって、所定範囲内の時刻ではないと判定され（Ｓ１０８にてＮＯ）、状態判断部６０４によって、トラブル状態ではないと判定されると（Ｓ１１０にてＮＯ）、表示制御部６０６は、表示パネル１７２に対し、一般向けコンテンツをスクリーンセーバとして表示させる（Ｓ１１２）。図１０を参照して、待機モードにおいて操作パネル１６６が第３の位置をとり、現在の時刻が所定範囲外の時刻であり、かつ、画像形成装置１５０がトラブル状態ではないとき、表示パネル１７２には一般向けコンテンツが表示され、エラー表示部１７３は消灯した状態である。
【００９３】
−ジョブの実行指示がなされた場合−  
ユーザは、画像形成装置１５０の電源を投入し、操作パネル１６６からの入力操作によって印刷ジョブの実行を指示したものとする。
【００９４】
制御部４００において、待機判断部６０１によって、データ受信又はジョブの実行指示がなされたと判定される（Ｓ１０１にてＹＥＳ）、印刷制御部６０７は、指定された印刷ジョブを実行する（Ｓ１０２）。
【００９５】
〈作用・効果〉  
上記実施の形態によれば、画像形成装置１５０は、上面に表示パネル１７２が設けられる操作パネル１６６と、画像形成装置１５０を水平に設置したときに、操作パネル１６６を、水平面に対して所定の傾斜角度をとるように下方向に回動させるための軸１７４と、操作パネル１６６の上面と水平面とがなす所定の傾斜角度を検出するための角度センサ１７５と、当該装置１５０に対する動作がない状態で予め定められる所定時間が経過した場合に、当該装置の動作モードを、通常モードから待機モードへと移行させる省エネ制御部６０２と、当該装置の動作モードが待機モードに移行された場合に、角度センサ１７５の検出結果に応じて、表示パネル１７２に対し、表示パネル１７２の閲覧性の違いに対応して所定の情報をスクリーンセーバとして表示させる表示制御部６０６と、を含む。
【００９６】
画像形成装置１５０の周囲に存在する不特定の人に対する表示パネル１７２の閲覧性は、操作パネル１６６の傾斜角度に応じて異なる。したがって、画像形成装置１５０は、装置の動作モードが待機モードに移行された場合に、操作パネル１６６の傾斜角度に応じて、表示パネル１７２に対し、表示パネル１７２の閲覧性の違いに対応して所定の情報をスクリーンセーバとして表示させることで、画像形成装置１５０を直接操作するユーザのいない待機モード時においても、装置の周囲に存在する不特定の人を対象とする情報を表示することができる。したがって、待機モード時に表示される情報を、効果的に表示することができる。
【００９７】
また上記実施の形態によれば、表示制御部６０６は、角度センサ１７５によって、所定の傾斜角度として、予め定める第１の傾斜角度θ１が検出された場合には、表示パネル１７２の表示をオフにする。このように、画像形成装置１５０は、例えば、操作パネル１６６が、画像形成装置１５０の周囲に存在する不特定の人に対する表示パネル１７２の閲覧性の悪い傾斜角度をとる場合等には、表示パネル１７２の表示をオフにすることができるので、無駄に情報が表示されることを防ぐことができる。したがって、無駄な消費電力を低減することができる。
【００９８】
また上記実施の形態によれば、予め定める第１の傾斜角度は、０°以上４５°以下の範囲内の所定の値をとることが好ましく、特には、０°であることが好ましい。これによって、無駄に情報が表示されることをより一層確実に防ぐことができ、無駄な消費電力をより一層確実に低減することができる。
【００９９】
また上記実施の形態によれば、表示制御部６０６は、角度センサ１７５によって、所定の傾斜角度として第１の傾斜角度θ１よりも大きい第２の傾斜角度θ２が検出された場合には、表示パネル１７２に対し、一般の人を対象とする一般向けコンテンツをスクリーンセーバとして表示させる。このように、画像形成装置１５０は、例えば、操作パネル１６６が、画像形成装置１５０の周囲に存在する不特定の人に対する表示パネル１７２の閲覧性が良好な傾斜角度をとる場合等には、一般向けコンテンツを表示することができるので、待機モード時に表示される情報を、より一層効果的に表示することができる。
【０１００】
また上記実施の形態によれば、第２の傾斜角度は、４６°以上６０°以下の範囲内の所定の値をとる。これによって、待機モード時において、より一層宣伝効果の高い状態で、一般向けコンテンツを表示することができる。
【０１０１】
また上記実施の形態によれば、一般向けコンテンツは、少なくとも、画像形成装置１５０の設置店舗に関する広告情報、設置店舗にて使用可能なクーポンに関する情報、周辺地域の店舗に関する広告情報、及び、周辺地域の店舗にて使用可能なクーポンに関する情報、のうちのいずれか１つ又はそれらの任意の組合せを含む。これによって、一般の人にとって関心が高い情報を、より一層宣伝効果の高い状態で表示することができる。
【０１０２】
また上記実施の形態によれば、表示制御部６０６は、角度センサ１７５によって、所定の傾斜角度として、第２の傾斜角度θ２よりも大きい第３の傾斜角度θ３が検出された場合には、表示パネル１７２に対し、子供を対象とする子供向けコンテンツをスクリーンセーバとして表示させる。このように、画像形成装置１５０は、例えば、操作パネル１６６が、画像形成装置１５０の周囲に存在する不特定の子供に対する表示パネル１７２の閲覧性が良好な傾斜角度をとる場合等には、子供向けコンテンツを表示することができるので、待機モード時に表示される情報を、より一層効果的に表示することができる。
【０１０３】
また上記実施の形態によれば、画像形成装置１５０は、現在の時刻が、子供向けのコンテンツを表示するのに適した時刻の範囲として予め定められる所定範囲内の時刻であるか否かを判断する時計回路６０５をさらに含み、表示制御部６０６は、時計回路６０５によって、現在の時刻が所定範囲内の時刻であると判断された場合に、表示パネル１７２に対し、子供向けコンテンツをスクリーンセーバとして表示させる。これによって、待機モード時において、より一層宣伝効果の高い状態で、子供向けコンテンツを表示することができる。
【０１０４】
また上記実施の形態によれば、第３の傾斜角度は、６１°以上９０°以下の範囲内の所定の値をとる。これによって、待機モード時において、さらに宣伝効果の高い状態で、子供向けコンテンツを表示することができる。
【０１０５】
また上記実施の形態によれば、子供向けコンテンツは、子供向け製品の広告情報を含む。これによって、子供にとって関心が高い情報を、より一層宣伝効果の高い状態で表示することができる。
【０１０６】
また上記実施の形態によれば、画像形成装置１５０は、当該装置１５０がトラブル状態であるか否かを判断する状態判断部６０４をさらに含み、表示制御部６０６は、角度センサ１７５によって、所定の傾斜角度として、第２の傾斜角度又は第３の傾斜角度が検出された場合であって、状態判断部６０４によって、当該装置１５０がトラブル状態であると判断された場合に、表示パネル１７２に対し、トラブルの内容を示すトラブル情報をスクリーンセーバとして表示させる。このように、装置がトラブル状態であるときには、トラブル情報を優先して表示させるので、ユーザにとって重要な情報を、より一層効果的に表示することができる。
【０１０７】
また上記実施の形態によれば、表示制御部６０６は、角度センサ１７５の検出結果に基づいて、表示パネル１７２に表示される画像のコントラストの調整を行なう。これによって、操作パネル１６６が回動された際に、外光によって表示パネル１７２に表示される画像が見づらくなることを防ぐことができる。
【０１０８】
［変形例］  
以下に示す図１２及び図１３は、表示パネル１７２の表示状態の一例を示す図である。  上記実施の形態では、待機モード時において、操作パネル１６６が第２の位置又は第３の位置をとり、かつ、当該装置１５０がトラブル状態である場合には、表示制御部６０６は、表示パネル１７２に対してトラブル情報を表示させたが、本発明はそのような実施の形態に限定されない。例えば、操作パネル１６６が第２の位置をとり、当該装置１５０がトラブル状態である場合には、表示制御部６０６は、表示パネル１７２に対して、一般向けコンテンツをトラブル情報とともに表示させてもよい。また、操作パネル１６６が第３の位置をとり、当該装置１５０がトラブル状態である場合には、表示制御部６０６は、表示パネル１７２に対して、子供向けコンテンツをトラブル情報とともに表示させてもよい。図１２を参照して、このとき、表示パネル１７２にはトラブル情報及び一般向けコンテンツ、又は、トラブル情報及び子供向けコンテンツが表示され、エラー表示部１７３は赤色に点灯した状態である。このように、トラブル情報とともに、一般向けコンテンツ又は子供向けコンテンツを表示させるので、ユーザにとって重要な情報及び関心の高い情報を、より一層効果的に表示することができる。
【０１０９】
また上記実施の形態では、待機モード時において、操作パネル１６６が第１の位置をとる場合には、表示制御部６０６は、表示パネル１７２をオフさせるのみであったが、本発明はそのような実施の形態に限定されない。例えば、操作パネル１６６が第１の位置をとり、かつ、画像形成装置１５０がトラブル状態である場合には、表示制御部６０６は、表示パネル１７２の表示をオフさせるとともに、エラー表示部１７３を点灯させてもよい。図１３を参照して、このとき、表示パネル１７２の表示はオフされ、エラー表示部１７３は赤色に点灯した状態である。
【０１１０】
また上記実施の形態では、操作パネル１６６が第１の位置をとるか否かの判定（Ｓ１０５）が行なわれた後、操作パネル１６６が第２の位置をとるか否かの判定（Ｓ１０７）が行なわれたが、本発明は、そのような実施の形態に限定されず、例えば、Ｓ１０５の処理とＳ１０７の処理とが同期して行なわれてもよい。
【０１１１】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１１２】
１５０  画像形成装置
１５２  原稿読取部
１５４  画像形成部
１５５  ＦＡＸ通信部
１５６  給紙部
１５８  排紙処理装置
１６６  操作パネル
１７０  操作部
１７２  表示パネル
１７３  エラー表示部
１７５  角度センサ
３０９  表示メモリ
４００  制御部
６０１  待機判断部
６０２  省エネ制御部
６０３  位置判断部
６０４  状態判断部
６０５  時計回路
６０６  表示制御部
６０７  印刷制御部
【図１】
2011180517.tif 000004
【図２】
2011180517.tif 000005
【図３】
2011180517.tif 000006
【図４】
2011180517.tif 000007
【図５】
2011180517.tif 000008
【図６】
2011180517.tif 000009
【図７】
2011180517.tif 000010
【図８】
2011180517.tif 000011
【図９】
2011180517.tif 000012
【図１０】
2011180517.tif 000013
【図１１】
2011180517.tif 000014
【図１２】
2011180517.tif 000015
【図１３】
2011180517.tif 000016